(57)【要約】【課題】貯蔵庫が設置される環境に応じて扉の開閉を使い分けることができる貯蔵庫の扉装置を提供する。【解決手段】貯蔵室１０の前面開口２３を開閉自在に閉塞する扉を備えたショーケース１において、扉装置１１は、開口２３縁部にヒンジ部材２６を中心として回動自在に枢支された枠体２４と、かかる枠体２４に摺動自在に保持された引き戸２５、２５とから構成し、ショーケース１が設置される環境に応じて扉の開閉方法を使い分けることができる構成とする。【選択図】　　　図３
2004084962.tif 000002
【特許請求の範囲】
【請求項１】
貯蔵室の開口を開閉自在に閉塞する扉を備えた貯蔵庫において、
前記扉は、前記開口縁部に回動自在に枢支された枠体と、該枠体に摺動自在に保持された引き戸とから構成されていることを特徴とする貯蔵庫の扉装置。
【請求項２】
前記引き戸の摺動を規制するための規制部材を備え、
該規制部材は、常には前記引き戸の摺動を許容し、前記枠体が回動されて前記開口を開放した際に前記引き戸の摺動を禁止することを特徴とする請求項１の貯蔵庫の扉装置。
【発明の詳細な説明】
【０００１】
【発明の属する技術分野】
本発明は、貯蔵室の開口を開閉自在に閉塞する扉を備えた貯蔵庫の扉装置に関するものである。
【０００２】
【従来の技術】
従来より低温ショーケースなどの貯蔵庫においては、例えば特開平８−１９９８６７号公報（Ｅ０５Ｂ１／０６）に示される如く、貯蔵庫の前面開口を引き戸式のガラス扉にて開閉自在に閉塞することにより、貯蔵室内に陳列した商品を納出自在としている。
【０００３】
また、上記以外に例えば特開平８−１９６３９５号公報（Ａ４７Ｆ３／００）に示される如く、ショーケースの前面開口にヒンジを介して回動自在に枢支されたガラス扉にて開閉自在に閉塞することにより、貯蔵室内に陳列した商品を納出自在としている。
【０００４】
【発明が解決しようとする課題】
しかしながら、従来のショーケースでは、引き戸式のガラス扉若しくは回動自在に取り付けられたガラス扉のどちらか一方のみにより、前面開口を開閉自在に閉塞していたため、引き戸式のガラス扉では、商品の陳列時に大きく開口を開放することができないため、陳列作業が煩雑となる問題があった。他方、回動自在に取り付けられたガラス扉では、ショーケースの前面に頻繁に物品が載置される場合においては、開閉ができないと云う問題がある。また、設置状況によっては扉が一方向にしか枢支可能とされないため、不便な使い方を強いられるという不都合が生じていた。
【０００５】
そこで、本発明は従来の技術的課題を解決するために成されたものであり、貯蔵庫が設置される環境に応じて扉の開閉を使い分けることができる貯蔵庫の扉装置を提供することを目的とする。
【０００６】
【課題を解決するための手段】
本発明の貯蔵庫の扉装置は、貯蔵室の開口を開閉自在に閉塞する扉を備えた貯蔵庫において、扉は、開口縁部に回動自在に枢支された枠体と、該枠体に摺動自在に保持された引き戸とから構成されていることを特徴とする。
【０００７】
本発明によれば、貯蔵室の開口を開閉自在に閉塞する扉を備えた貯蔵庫において、扉は、開口縁部に回動自在に枢支された枠体と、該枠体に摺動自在に保持された引き戸とから構成されているので、当該貯蔵庫が設置される環境に応じて扉の開閉を使い分けることができるようになる。
【０００８】
これにより、当該貯蔵庫の前面に頻繁に物品が載置されていた場合であっても、枠体に設けられた引き戸を摺動させることにより、貯蔵庫の扉の開閉を円滑に行うことができるようになる。また、枠体の枢支部分による回動方向に影響されることなく、貯蔵庫を設置することができるようになり、利便性が向上される。また、枠体自体を前方に回動させることにより、貯蔵庫の前面開口を大きく開放することができるようになり、貯蔵庫内への商品の陳列作業を効率的に行うことができるようになる。
【０００９】
請求項２の発明の貯蔵庫の扉装置は、請求項１の発明に加えて、引き戸の摺動を規制するための規制部材を備え、該規制部材は、常には引き戸の摺動を許容し、枠体が回動されて開口を開放した際に引き戸の摺動を禁止することを特徴とする。
【００１０】
請求項２の発明によれば、請求項１の発明に加えて、引き戸の摺動を規制するための規制部材を備え、該規制部材は、常には引き戸の摺動を許容し、枠体が回動されて開口を開放した際に引き戸の摺動を禁止するので、枠体が回動されて開口を開放した際に、引き戸が当該枠体の回動による遠心力によって移動することを禁止することができ、当該引き戸の摺動により手指などを損傷する危険性を排除することができるようになる。
【００１１】
【発明の実施の形態】
以下、図面に基づいて本発明の実施形態を詳述する。図１は本発明を適用したショーケース１の正面図、図２はショーケース１の縦断側面図を示している。ショーケース１は、駅の売店やコンビニエンスストアなどに設置される冷却ショーケースであり、前面に開口２３を有する断熱箱体（断熱壁）２及び側板２８、２８より本体が構成されている。
【００１２】
この断熱箱体２は前面に開口する鋼板製の外箱３と、この外箱３内に間隔を存して組み込まれた前面に開口する鋼板若しくは硬質合成樹脂製の内箱４と、外箱３及び内箱４間に発泡充填された発泡ポリウレタンから成る断熱材５とから構成されている。また、断熱箱体２の前面開口２３には、詳細は後述する扉装置１１が開閉自在に設けられている。
【００１３】
この断熱箱体２の背面には、当該断熱箱体２の背壁と所定間隔を存して仕切板１２が設けられており、当該仕切板１２と断熱箱体２の背壁との間において冷却室１４が形成されている。そして、断熱箱体２の底部と所定の間隔を存してデックパン１３が設けられており、このデックパン１３の下方には、断熱箱体２の底部との間に前記冷却室１４と連通した下冷却室１５が形成されている。そして、この断熱箱体２、仕切板１２、デックパン１３、側板２８、２８及び扉装置１１にて囲繞される空間には、貯蔵室１０が形成される。
【００１４】
また、この冷却室１４内には、詳細は後述する冷却装置Ｒと共に所謂冷凍サイクルを構成する冷却器１６が縦設されていると共に、仕切板１２の上部には、図示しない冷気吐出口が形成され、当該冷気吐出口に対応して冷却室１４上部には、冷却器１６にて冷却された冷気を貯蔵室１０内に吐出するための冷却器用送風機１７が設けられている。
【００１５】
他方、断熱箱体２の下方には、機械室１８が構成されており、当該機械室１８内には、前記冷却装置Ｒを構成する圧縮機１９、凝縮器２０や凝縮器用送風機２１等が設けられている。尚、この機械室１８の前面には、図示しないグリルを形成した前面パネル２２が設けられている。
【００１６】
以上の構成により、冷却装置Ｒの圧縮機１９等が運転されることにより、冷却器１６が冷却作用を発揮し、貯蔵庫１０内は、例えば所定の冷蔵温度に維持される。
【００１７】
次に、図３を参照して本発明の貯蔵庫の扉装置１１について説明する。図３は貯蔵庫としてのショーケース１前部の横断面図を示している。扉装置１１は、前記前面開口２３の本実施例では、右縁部にヒンジ部材２６により回動自在に枢支された枠体２４と、当該枠体２４に摺動自在に保持された本実施例では、２枚の引き戸２５、２５とから構成されている。この枠体２４は、断熱箱体２の前面開口２３の全縁部に渡って構成される枠部材であり、この枠体２４の内側縁部には、全縁部に渡って前記引き戸２５、２５を摺動自在に設けるための前レール３０及び後レール３１が前後に隣接して形成されている。
【００１８】
そして、これら前レール３０及び後レール３１には、透視可能とされる前記引き戸２５、２５が摺動可能に取り付けられている。尚、当該引き戸２５、２５は透視可能とするため、ガラス扉やアクリル樹脂などにより構成される透明板などにより構成されており、当該引き戸２５の外周縁部には、引き戸サッシュ２７が取り付けられているものとする。これにより、枠体２４内は、引き戸２５、２５によって開閉自在に閉塞されている。尚、図１において３４は、引き戸２５をそれぞれ左右に摺動可能とさせるための把手部である。
【００１９】
他方、枠体２４の前面には、枢支側とは反対側、即ち、本実施例では左側において、当該枠体２４を前方に回動させるための把手部材３２が設けられている。また、当該枠部材２４の後面には、全周に渡って断熱箱体２の開口２３縁部との密着性を高めるための扉パッキン３３が取り付けられている。
【００２０】
以上の構成により、ショーケース１の前面開口２３は、扉装置１１の枠体２４をヒンジ部材２６を中心に前方に回動させることにより、開閉することができるようになる。また、当該扉装置１１の枠体２４を閉塞した状態で、引き戸２５、２５を左右に摺動させることによってもショーケース１の前面開口２３を開閉することができる。
【００２１】
そのため、ショーケース１の前面に頻繁に商品などの物品が載置される場合には、枠体２４に設けられた引き戸２５、２５を左右に摺動させることにより、当該ショーケース１の前面に載置された物品を移動させることなく、扉装置１１の開閉を円滑に行うことができるようになる。
【００２２】
また、扉装置１１を構成する枠体２４の枢支部分、即ち、ヒンジ部材２６の取付箇所による回動方向に影響されることなく、ショーケース１を設置することができるようになり、利便性が向上される。
【００２３】
また更に、扉装置１１の枠体２４自体をヒンジ部材２６を中心として前方に回動させることにより、ショーケース１の前面開口２３を大きく開放することができるようになり、貯蔵室１０内への商品の納出及び陳列作業を効率的に行うことができるようになる。
【００２４】
一方、前記扉装置１１の下部には、枠体２４の開放時（回動時）における引き戸２５、２５の摺動を規制するための規制機構が設けられている。ここで、当該規制機構について図４及び図５を参照して説明する。図４は扉装置１１の枠体２４を閉塞した状態の部分断面図、図５は扉装置１１の枠体２４を開放した状態の部分断面図を示している。両図とも図１におけるＡ−Ａ部における断面図であるものとする。
【００２５】
当該規制機構は、前記枠体２４に取り付けられた扉パッキン３３の内方であって、前記引き戸２５、２５が完全に閉塞した状態でこれら引き戸２５、２５が重複している部分に形成されるものである。
【００２６】
該規制機構は、枠体２４に、後面から後レール３１奥部、当該後レール３１と前レール３０との間に位置する仕切部３５、前レール３０奥部及び当該前レール３０より少許外方に渡って連通孔３６が形成されており、当該連通孔３６には、一端にバネ部３７が設けられた規制部材３８が挿通されることにより構成されている。そして、該規制部材３８は、バネ部３７が形成される端部とは反対側の端部に、枠体２４の内方に向けて突出した第１の突部３９が形成されていると共に、当該第１の突部３９とは所定間隔を存して当該第１の突部３９と同様に枠体２４の内方に向けて突出した第２の突部４０が形成されている。
【００２７】
以上の構成により、前記連通孔３６に規制部材３８を第１の突部３９側から挿入する。これにより、前記枠体２４が前面開口２３を閉塞し、引き戸２５、２５を閉塞した状態では、図４に示す如く前面開口２３縁部に向けて扉装置１１が規制部材３８のバネ部３７を縮退させる方向に力が加えられることにより、規制部材３８の第１の突部３９が連通孔３６の最奥部にまで移動し、第２の突部４０が前記仕切部３５に位置して固定される。そのため、枠体２４が閉塞した状態では、枠体２４の前レール３０及び後レール３１に設けられる引き戸２５、２５は、それぞれ突部３９及び４０により移動が規制されず、摺動が可能となる。
【００２８】
他方、枠体２４が前面開口２３を開放した状態では、図５に示す如く前面開口２３縁部から扉装置１１が離隔するため、規制部材３８のバネ部３７が伸張し、規制部材３８の第１の突部３９が連通孔３６の前レール３０の位置まで移動し、第２の突部４０が連通孔３６の後レール３１の位置まで移動し固定される。そのため、枠体２４が開放した状態では、枠体２４の前レール３０及び後レール３１に設けられる引き戸２５、２５は、それぞれ突部３９及び４０により移動が規制され、摺動が禁止される。
【００２９】
これにより、枠体２４が前面開口２３を閉塞した状態では、引き戸２５の摺動を許容し、枠体２４が回動されて、前面開口２３を開放した際には、規制部材３８の突部３９及び４０が引き戸２５、２５の摺動を規制するため、該引き戸２５、２５が当該枠体２４の回動による遠心力によって移動することを禁止することができ、引き戸２５、２５の予期せぬ摺動により手指などを損傷する危険性を排除することができるようになる。
【００３０】
また、上述の如き規制部材３８により、引き戸２５、２５の摺動を規制するため、確実に枠体２４の回動時における引き戸２５、２５の摺動を禁止することができる。
【００３１】
尚、上述の如き規制部材３８による引き戸２５、２５の摺動を規制するための規制機構の他に、図６、図７に示す如き規制機構によっても引き戸２５、２５の摺動を規制することができる。即ち、図６及び図７に示す如く引き戸２５、２５の摺動規制機構は、前レール３０及び後レール３１の前端が前方から後方に向けて低く傾斜して形成されている。
【００３２】
そのため、枠体２４が前面開口２３を閉塞した状態では、引き戸２５が各レール３０、３１の下面において摺動が許容され、枠体２４が回動されて、前面開口２３を開放した際には、該引き戸２５、２５が当該枠体２４の回動による遠心力によって前方に移動することにより、引き戸２５、２５の下端部が、前記レール３０、３１内に形成された傾斜部分に当接し、当該引き戸２５、２５の移動を禁止することができる。これにより、引き戸２５、２５の予期せぬ摺動により手指などを損傷する危険性を排除することができるようになる。また、かかる場合には、引き戸２５、２５が枠体２４に閉塞された状態に限らず、完全に開放された状態や、少許開放された状態であっても引き戸２５、２５の移動を規制することができるため、より利便性が向上させるものとなる。
【００３３】
【発明の効果】
以上詳述した如く本発明によれば、貯蔵室の開口を開閉自在に閉塞する扉を備えた貯蔵庫において、扉は、開口縁部に回動自在に枢支された枠体と、該枠体に摺動自在に保持された引き戸とから構成されているので、当該貯蔵庫が設置される環境に応じて扉の開閉を使い分けることができるようになる。
【００３４】
これにより、当該貯蔵庫の前面に頻繁に物品が載置されていた場合であっても、枠体に設けられた引き戸を摺動させることにより、貯蔵庫の扉の開閉を円滑に行うことができるようになる。また、枠体の枢支部分による回動方向に影響されることなく、貯蔵庫を設置することができるようになり、利便性が向上される。また、枠体自体を前方に回動させることにより、貯蔵庫の前面開口を大きく開放することができるようになり、貯蔵庫内への商品の陳列作業を効率的に行うことができるようになる。
【００３５】
請求項２の発明によれば、請求項１の発明に加えて、引き戸の摺動を規制するための規制部材を備え、該規制部材は、常には引き戸の摺動を許容し、枠体が回動されて開口を開放した際に引き戸の摺動を禁止するので、枠体が回動されて開口を開放した際に、引き戸が当該枠体の回動による遠心力によって移動することを禁止することができ、当該引き戸の摺動により手指などを損傷する危険性を排除することができるようになる。
【図面の簡単な説明】
【図１】本発明のショーケースの正面図である。
【図２】本発明のショーケースの縦断側面図である。
【図３】本発明のショーケース前部の部分拡大横断面図である。
【図４】扉装置を閉塞した状態における扉装置下部の部分拡大断面図である。
【図５】扉装置を開放した状態における扉装置下部の部分拡大断面図である。
【図６】他の実施例における扉装置を閉塞した状態における扉装置下部の部分拡大断面図である。
【図７】他の実施例における扉装置を開放した状態における扉装置下部の部分拡大断面図である。
【符号の説明】
１　ショーケース
２　断熱箱体
１０　貯蔵室
１１　扉装置
２３　前面開口
２４　枠体
２５　引き戸
２６　ヒンジ部材
２７　引き戸サッシュ
２８　側板
３０、３１　レール
３３　扉パッキン
３５　仕切部
３６　連通孔
３７　バネ部
３８　規制部材
３９、４０　突部
【図１】
2004084962.tif 000003
【図２】
2004084962.tif 000004
【図３】
2004084962.tif 000005
【図４】
2004084962.tif 000006
【図５】
2004084962.tif 000007
【図６】
2004084962.tif 000008
【図７】
2004084962.tif 000009